(57)【特許請求の範囲】
【請求項１】
支持部に取り付け可能な少なくとも一つの棚を含む棚システムであって、
前記棚は端面を画成し、少なくとも一つの開口部が前記端面に形成され、前記開口部は一つ以上の突起を有し、
前記開口部内の少なくとも一つの突起と結合するための相補形状を有し、前記開口部にはめ合わされる少なくとも一つのアクセサリと、
前記棚に取り付け可能である少なくとも一つの第１保護縁取り部材と、をさらに含み、
前記第１保護縁取り部材は、前記棚の少なくとも一つの開口部に対応するとともに、前記突起を受け入れるよう成形された突出舌状部を有する少なくとも一つの開口部を備えることを特徴とする棚システム。
【請求項２】
前記棚は、中間に中空ポケットを画成する上面および下面と、前記中空ポケットへのアクセスを可能にするため前記下面に形成された少なくとも一つの開口部と、を含むことを特徴とする請求項１に記載の棚システム。
【請求項３】
前記棚に取り付けられ、前記下面の前記開口部の外周の少なくとも一部を覆う第２保護縁取り部材をさらに備えることを特徴とする請求項２に記載の棚システム。
【発明の詳細な説明】
【技術分野】
【０００１】
本発明は、高さ調節可能な棚を備える棚システムに関する。内視鏡、観察モニタおよび関連装置などの医療機器を保持する棚を有する可搬トロリーを参照して本発明を説明する。しかしながら、本発明は、他の種類の作業場、小売業環境、または家庭内で使用される可搬式および固定式両方の棚システムに等しく適用することができる。
【背景技術】
【０００２】
内視鏡または超音波プローブ、関連する観察モニタおよび付属装置などの種々の医療機器を運ぶために、複数の棚を有する車輪付きトロリーが病院内で使用されるのは周知である。通常、一組の垂直支持部の間にそれぞれの棚が固定される。棚を支持部に水平かつしっかりと固定するためには、棚の側面ごとに、少なくとも二つのねじ、二つのワッシャおよび二つの締め付けナットが必要となる。
【発明の概要】
【発明が解決しようとする課題】
【０００３】
この種のシステムは、棚の高さ調節が必要である場合、固定および取り外しが比較的面倒である。
【課題を解決するための手段】
【０００４】
この種のトロリーで使用される医療機器は、多数のアクセサリと共に使用することが多い。これらをトロリーに留めて全てを一緒に保持するがアクセサリを簡便に手に取ることができるようにすると有用である。既知の棚システムでは、クリップまたはフック等を取り付けるためのねじおよび係止ナットを受け入れるための丸穴が、棚の端部に形成されていることが多い。しかしながら、この種のシステムは、固定および取り外しが比較的面倒なものとなり得る。
【０００５】
本発明は、支持部に取り付け可能な少なくとも一つの棚を含む棚システムを提供する。棚は端面を画成し、少なくとも一つの開口部が端面に形成され、開口部は一つ以上の突起を有する。開口部内の少なくとも一つの突起と結合するための相補形状を有し、開口部にはめ合わされる少なくとも一つのアクセサリをさらに備える。
【０００６】
これによって、アクセサリを正しい向きでしっかりと固定することが容易になる。
【０００７】
棚に取り付け可能である少なくとも一つの保護縁取り部材をさらに含んでもよい。縁取り部材は、棚の少なくとも一つの追加開口部に対応するとともに、突起を受け入れるよう成形された突出舌上部を有する少なくとも一つの開口部を備える。舌状部は、アクセサリを棚の開口部内に正しく導くための追加手段として機能する。
【０００８】
さらに、この種のトロリーで運ばれる医療機器は、通常は少なくとも一つの電力を必要とする物品を備えており、したがってある長さのケーブルが付いてくる。異なる場所での使用を容易にするため、妥当な長さのケーブルが必要となるが、安全上の理由から、ケーブルを引きずったままにすることはできず、通常は束ねられてケーブルタイで固定される。機器を移動する必要がある場合、普通はケーブルタイを切断して新たなケーブルタイと交換する必要がある。
【０００９】
したがって、棚は、中間に中空ポケットを画成する上面および下面と、中空ポケットへのアクセスを可能にするため下面に形成された少なくとも一つの開口部と、をさらに含んでもよい。
【００１０】
このように、ケーブルタイを必要とせずに、棚を通してケーブルを容易に取り回せるようにする開口部を備えたケーブル用の一体収納領域を棚が備えている。
【００１１】
この例では、棚に取り付けられ、下面の開口部の外周の少なくとも一部を覆う保護縁取り部材をさらに備えてもよい。縁取り部材は、棚の端による摩擦からケーブルを保護する。
【００１２】
以下、添付の図面を参照して、例示のみを目的として本発明を詳細に説明する。
【図面の簡単な説明】
【００１３】
【図１】本発明に係る可搬トロリー型棚システムの一実施形態の斜視図である。
【図２】明瞭さのために棚の上面が取り除かれた棚固定システムの上方斜視図である。
【図３】図２に示した部品の分解図である。
【図４】図２のＡＡ線に沿った断面図である。
【図５】図３のＡＡ線に沿った断面図である。
【図６】一つの棚の上方斜視図である。
【図７】図６の棚の一部の拡大分解図である。
【図８】組み立てられたときの図７の部品を示す図である。
【図９】アクセサリクリップが取り付けられた図６の棚を示す図である。
【図１０】図９に示した部品の分解図である。
【図１１】一つの棚の下面の斜視図である。
【図１２】図１１の棚の一部の拡大図である。
【発明を実施するための形態】
【００１４】
本発明の一実施形態に係る可搬（portable）トロリー型棚システム１０を図１に示す。トロリー１０は、垂直支持アーチ１４に固定され複数の車輪１６が取り付けられた基部１２を備える。複数の棚１８が支持アーチ上に取り外し可能に搭載される。典型的に、上面２０と端面２２とを形づくるように成形された粉体塗装された金属で、棚が形成される。棚の各側面にはプラスチック成形品２４が留められている。
【００１５】
支持アーチ１４は、アーチ形状に形成された、例えばアルミニウムの押し出し部品からなる。アーチ１４の内面２６および外面２８を形成する面に沿って複数の溝と隙間が形成されている。
【００１６】
図２ないし５に示すように、アーチ１４の内面２６には、棚に面した溝３０が設けられる。また、支持アーチ１４の各垂直脚に沿って、一連の棚位置決め穴３２の組が等間隔で設けられる。
【００１７】
各棚１８の側面にはそれぞれ、端面２２に一組の穴３４が設けられている。アーチ１４上の所望の位置に棚１８を配置するために、一組の位置決めピン３８を有する位置決めブラケット３６が棚の端面２２の内側に配置されている。ピン３８は、穴３４を通って突出し、アーチ１４上の一組の位置決め穴３２と係合する。ブラケット３６と棚１８とは、一つの固定ボルト４０によってこの位置で係止される。固定ボルト４０は、ブラケット３６および棚１８を貫通し、溝３０内に配置された係止ナット４２内にねじ込まれる。
【００１８】
こうして、棚１８の各側面が一つの固定ボルトのみを用いて適所に固定される。棚を通してブラケット３６を位置決め穴３２内に留めることによって、棚の側面が所望の高さに容易に配置され、ボルト４０が取り付けられ締め付けられている間、その位置に留まる。
【００１９】
トロリー１０に取り付ける予定の棚の数に対応する複数の係止ナット４２が、トロリー１０の予備組立の間に溝３０内に設置される。典型的に、溝３０内の所与の位置でナット４２を解放可能に保持するとともに、棚が固定されていないときに全てのナット４２が底に落下してしまうことを防止するバネ荷重（spring loaded）ボールベアリングを、係止ナット４２が備えていてもよい。
【００２０】
アーチ１４の外面には、図１に示す内視鏡ハンガー４６などの物品を従来の方式で取り付けるための別の溝４４が形成されていてもよい。
【００２１】
図６に示すように、棚の端部成形品２４には、棚１８をアーチ１４にしっかりと固定するのを妨げないようにするため、位置決め穴３４の位置に対応する部位に切り欠き領域４８が設けられることが好ましい。
【００２２】
使用時には、ケーブルまたは管をトロリー１０に引っかけたり、またはボトルなどのアクセサリを取り付け可能なクリップを設ける必要がある場合が多い。これを可能にすべく、図６ないし１０で最もよく分かるように、棚の端面２２および端部成形品２４に別の開口部が設けられている。
【００２３】
この例では、棚の端面２２には、一組の長方形開口部５０が開口部内に突出するタブ５２とともに設けられている。プラスチック製の端部成形品２４には対応する開口部５４が設けられる。これらはタブを有していないが、開口部５４の下端から略Ｕ字形の舌状部５６が後方に突出している。図８で最もよく分かるように、組立時に、下側のＵ字形舌状部５６のアームの間にタブ５２が受け入れられる。図面には示していないが、同一のＵ字形舌状部が開口部５４の上端から突出しているので、同じ成形品２４をひっくり返して棚１８の反対側でも使用することができる。
【００２４】
こうして、フック５８などのアクセサリを開口部５４内に留めることができる。フック５８にはタブ５２を受け入れる凹部（図示せず）が形成されているので、開口部５４内に引っかけることができ、また一方向でのみ開口部５４にはめることができる。これにより、アクセサリを簡単に取り付けるとともに、フックまたは他の物品が正しい向きではまることが保証される。
【００２５】
トロリー１０は、トロリーで運ばれる装置が引きずるケーブルの収納も有している。既に述べたように、棚１８は折り畳まれた金属シートで形成される。図１１および１２に示すように、金属シートの部分が丸く折り畳まれて、上面２０の下方かつ平行な下面６０が作られており、上下面の間に中空のポケット６２を形成することができる。下面６０は、溝６４と切り欠き６６とを有してもよく、これらは、棚１８の上部からケーブル６８をポケット６２の中に通し、電源ソケット等に向けてケーブルを取り出すのに役立つ。
【００２６】
下面６０の端部、またはその一部に、ケーブル６８の損傷を防止するための追加のプラスチック製の端部成形品７０が設けられていてもよい。棚の上などの機器に付属するマニュアルや付随文書などの他の物品を収納するためにポケット６２が使用されてもよい。
【００２７】
このように、棚の固定が容易になり、アクセサリの取り付けが簡単であり、かつ引きずるケーブルを収納する、改善された棚システムが提供される。特許請求の範囲を逸脱することなく、本文書でなした正確で詳細な説明に対して多数の変形または修正をなし得ることが認められるだろう。
【図１】
0005584761.tif 000002
【図２】
0005584761.tif 000003
【図３】
0005584761.tif 000004
【図４】
0005584761.tif 000005
【図５】
0005584761.tif 000006
【図６】
0005584761.tif 000007
【図７】
0005584761.tif 000008
【図８】
0005584761.tif 000009
【図９】
0005584761.tif 000010
【図１０】
0005584761.tif 000011
【図１１】
0005584761.tif 000012
【図１２】
0005584761.tif 000013